(57)【要約】【課題】調光操作卓の取り扱い説明を容易に得ることができる調光操作装置を提供することである。【解決手段】演算処理装置１６は、操作卓パネル１４上に設けられた切替釦１５により通常操作が選択されたときは調光制御の監視画面を表示装置１３に表示し、一方、操作方法を調べるための操作が選択されたときは記憶装置１７に記憶された取扱説明書のデータファイル１９を取扱説明書画面として表示装置１３に表示する。これにより、調光操作卓１１から離れることなく取扱説明書の内容を参照できる。【選択図】  図１
2004200124.tif 000002
【特許請求の範囲】
【請求項１】
照明負荷の明るさを調光制御する調光操作卓の取扱説明書をデータファイルとして記憶した記憶装置と；
前記調光操作卓に設けられ調光制御の監視画面を表示すると共に前記記憶装置に記憶された前記取扱説明書のデータファイルを取扱説明書画面として表示するための表示装置と；
前記調光操作卓の操作卓パネル面に設けられ通常操作とその操作方法を調べるための操作とを切り替えるための切替釦と；
前記切替釦により通常操作が選択されたときは前記監視画面を前記表示装置に表示し、操作方法を調べるための操作が選択されたときは前記取扱説明書画面を前記表示装置に表示する演算処理を行う演算処理装置と；
前記表示装置に前記取扱説明書画面が表示されているとき前記演算処理装置に前記取扱説明書画面の操作データを入力する入力装置と；
を備えたことを特徴とする調光操作装置。
【請求項２】
前記演算処理装置は、前記表示装置に前記取扱説明書画面が表示されている状態で前記入力装置からキーワードが入力されたときは、入力されたキーワードを前記取扱説明書のデータファイルから検索し、そのキーワードが記載されている項目の一覧を表示し、前記入力装置でいずれかの項目が選択されたときは、その項目の該当ページを前記表示装置に表示することを特徴とする請求項１記載の調光操作装置。
【請求項３】
前記演算処理装置は、前記表示装置に前記取扱説明書画面が表示されている状態で前記調光操作卓の操作卓パネル上の操作部が操作されたときは、その操作された操作部の説明が記載されている項目の一覧を表示し、前記入力装置でいずれかの項目が選択されたときは、その項目の該当ページを前記表示装置に表示することを特徴とする請求項１または２記載の調光操作装置。
【請求項４】
前記演算処理装置は、前記表示装置に前記取扱説明書画面が表示されている状態で前記入力装置により調査対象となるキーワードが前記取扱説明書画面で指定されたとき、その指定されたキーワードに関連する前記操作卓パネル上の操作部の表示器を点滅表示することを特徴とする請求項１ないし３のいずれか一に記載の調光操作装置。
【請求項５】
前記記憶装置に記憶される取扱説明書のデータファイルは、汎用のファイルフォーマット形式のデータファイルであることを特徴とする請求項１ないし４のいずれか一記載の調光操作装置。
【発明の詳細な説明】
【０００１】
【発明の属する技術分野】本発明は、舞台やスタジオさらにはホールの照明制御を行う際に用いられる調光操作装置に関する。
【０００２】
【従来の技術】例えば、劇場の舞台では複数の照明負荷（照明器具）を使って、その明るさや色を変化させて舞台の照明演出を行っている。これらの照明演出を行うための照明負荷は、調光操作装置によって制御されている。調光操作装置は照明負荷の明るさを調光制御する調光操作卓を有している。そして、その調光操作卓には調光制御の監視画面を表示する表示装置が設けられ、その操作卓パネル上には、スイッチ、フェーダ、ウィール等の各操作部が設けられている。
【０００３】
すなわち、調光操作卓のフェーダを用いて予め照明負荷の調光制御のための調光制御レベルを設定したシーンを作成し、作成した各シーン毎に識別番号を付して記憶しておき、照明演出時には識別番号を指定してシーンを読み出すことによって、その識別番号に対応するシ一ンを再生する。
【０００４】
また、シーン再生によって照明負荷が調光制御されているときにシーンの調光データを修正する際には、修正ボタンを操作してから修正モードに切り替えた後、フェーダを操作しフェーダの読み値を変化させる。その照明負荷の明るさの修正の際には、一時的に照明負荷の明るさが修正方向とは逆方向にならないように制御している（例えば特許文献１参照）。
【０００５】
【特許文献１】特開２０００−３１１７９１号公報（図１）
【０００６】
【発明が解決しようとする課題】ところが、シーンの作成や再生さらには修正は、調光操作卓の各操作部（スイッチ、フェーダ、ウィール等）を操作して行わなければならないので、調光操作卓を操作するには熟練を要する。調光操作卓の機能や操作の説明は、調光操作卓の取扱説明書に記載されているが、取扱説明書は印刷物であることから、調光操作卓の操作中に説明を必要とする項目を調査するには時間と手間が掛かる。すなわち、調光操作卓の取り扱い手順を調べる場合、印刷物である取扱説明書から調べるには、目的の内容が記載されている目次を探し、該当ページを開いてその内容を参照しなければならないので時間と手間がかかる。
【０００７】
本発明の目的は、調光操作卓の取り扱い説明を容易に得ることができる調光操作装置を提供することである。
【０００８】
【課題を解決するための手段】請求項１の発明に係る調光操作装置は、照明負荷の明るさを調光制御する調光操作卓の取扱説明書をデータファイルとして記憶した記憶装置と；前記調光操作卓に設けられ調光制御の監視画面を表示すると共に前記記憶装置に記憶された前記取扱説明書のデータファイルを取扱説明書画面として表示するための表示装置と；前記調光操作卓の操作卓パネル面に設けられ通常操作とその操作方法を調べるための操作とを切り替えるための切替釦と；前記切替釦により通常操作が選択されたときは前記監視画面を前記表示装置に表示し、操作方法を調べるための操作が選択されたときは前記取扱説明書画面を前記表示装置に表示する演算処理を行う演算処理装置と；前記表示装置に前記取扱説明書画面が表示されているとき前記演算処理装置に前記取扱説明書画面の操作データを入力する入力装置と；を備えたことを特徴とする。
【０００９】
本発明および以下の請求項の各発明において、特に指定しない限り用語の定義および技術的意味は次による。
【００１０】
調光操作装置は、劇場の舞台やスタジオさらにはホールにおける複数の照明負荷の明るさや色を変化させて舞台の照明演出を行うものである。調光操作卓は、照明負荷の明るさや色を調光制御すると共に、照明負荷の調光制御のための調光制御レベルを設定したシーンを作成する。
【００１１】
記憶装置には、調光操作卓で作成されたシーンのデータファイル、演算処理装置を動作させるプログラム、さらには、照明負荷の明るさを調光制御する調光操作卓の取扱説明書がデータファイルとして記憶される。
【００１２】
表示装置は、例えば、ＣＲＴ表示装置や液晶表示装置であり、調光操作卓に設けられる。表示装置には調光制御の監視画面または記憶装置に記憶された取扱説明書のデータファイルが取扱説明書画面として表示される。切替釦は、調光操作卓の通常操作と調光操作卓の操作方法を調べるための操作とを切り替えるものであり、調光操作卓の操作卓パネル面に設けられる。
【００１３】
演算処理装置は、切替釦により通常操作が選択されたときは調光制御の監視画面を表示装置に表示し、操作方法を調べるための操作が選択されたときは取扱説明書画面を表示装置に表示する演算処理を行う。また、入力装置は、キーボード、マウス等であり、演算処理装置に指令やデータを入力するものであり、表示装置に取扱説明書画面が表示されているとき、演算処理装置に取扱説明書画面の操作データを入力する。
【００１４】
本発明によれば、調光操作卓の取扱説明書のデータファイルを記憶装置に記憶しておき、調光操作卓の表示装置にその取扱説明書画面を表示できるので、調光操作卓から離れることなく取扱説明書の内容を参照できる。
【００１５】
請求項２の発明に係る調光操作装置は、請求項１の発明において、前記演算処理装置は、前記表示装置に前記取扱説明書画面が表示されている状態で前記入力装置からキーワードが入力されたときは、入力されたキーワードを前記取扱説明書のデータファイルから検索し、そのキーワードが記載されている項目の一覧を表示し、前記入力装置でいずれかの項目が選択されたときは、その項目の該当ページを前記表示装置に表示することを特徴とする請求項１記載の調光操作装置。
【００１６】
本発明は、演算処理装置にキーワードによるキーワード検索機能を設けたものである。キーワードは調光操作卓の操作卓パネル上の操作部の名称や機能に関する語句等である。表示装置に取扱説明書画面が表示されている状態とは、切替釦により調光操作卓の操作方法を調べるための操作が選択されている状態であり、その状態で入力装置からキーワードが入力されたときは、演算処理装置は入力されたキーワードを取扱説明書のデータファイルから検索する。そして、そのキーワードが記載されている取扱説明書中の項目の一覧を表示装置に表示する。操作員は表示装置に表示された項目を入力装置で選択する。演算処理装置は、操作員により選択された項目の該当ページの内容を表示装置に表示する。
【００１７】
本発明によれば、入力装置からキーワードを入力することで、そのキーワードに関する説明が記載されている取扱説明書の項目を表示できるので、目的のページをすぐに見つけ出すことが可能となる。
【００１８】
請求項３の発明に係る調光操作装置は、請求項１または２の発明において、前記演算処理装置は、前記表示装置に前記取扱説明書画面が表示されている状態で前記調光操作卓の操作卓パネル上の操作部が操作されたときは、その操作された操作部の説明が記載されている項目の一覧を表示し、前記入力装置でいずれかの項目が選択されたときは、その項目の該当ページを前記表示装置に表示することを特徴とする。
【００１９】
本発明は、演算処理装置に操作部検索機能を設けたものである。操作部検索機能は、操作卓パネル上の操作部が操作されたとき、その操作部に関する説明を取扱説明書のデータファイル１９から検索しその検索結果を表示装置１３に表示する機能である。操作卓パネル上の操作部は、フェーダ、ウィール、各種スイッチ類である。これら操作部により、照明負荷の明るさや色を調光制御したり、照明負荷の調光制御のための調光制御レベルを設定したシーンを作成したりする。演算処理装置は、表示装置に取扱説明書画面が表示されている状態のときに操作部が操作されたときは、操作部の操作は調光制御やシーン作成のための通常操作ではなく、操作部の操作方法を調べる操作であると判断する。そして、演算処理装置はその操作された操作部の説明が記載されている項目を検索し、その項目の一覧を表示装置に表示する。操作員は表示装置に表示された項目を入力装置で選択する。演算処理装置は、操作員により選択された項目の該当ページの内容を表示装置に表示する。
【００２０】
本発明によれば、操作卓パネル上の操作部の操作により、その操作部の説明が記載された項目を検索することが可能となり、各操作部の名称を知らない場合であっても直接的に取扱説明書内の目的のページを参照することが可能となる。従って、外来者や新人の操作員であっても容易に取扱説明書内の目的のページを参照できる。
【００２１】
請求項４の発明に係る調光操作装置は、請求項１ないし３のいずれか一の発明において、前記演算処理装置は、前記表示装置に前記取扱説明書画面が表示されている状態で前記入力装置により調査対象となるキーワードが前記取扱説明書画面で指定されたとき、その指定されたキーワードに関連する前記操作卓パネル上の操作部の表示器を点滅表示することを特徴とする。
【００２２】
本発明は、演算処理装置に操作部リンク機能を設けたものである。操作部リンク機能は、取扱説明書画面中のキーワード指定による操作卓パネル上の操作部を表示指示する機能である。操作卓パネル上の操作部には、操作部の操作状態を表示する表示器が設けられている。表示装置に取扱説明書画面が表示されている状態で、入力装置により調査対象となるキーワードが取扱説明書画面で指定されたとき、演算処理装置は、その指定されたキーワードに関連する操作卓パネル上の操作部の表示器を点滅表示する。
【００２３】
本発明によれば、取扱説明書画面のキーワードを指定すると、そのキーワードに関連する操作部の表示器が点滅表示されるので、操作卓パネル上のどの位置にその操作部があるかを容易に調べることが可能となる。
【００２４】
請求項５の発明に係る調光操作装置は、請求項１ないし４のいずれか一の発明において、前記記憶装置に記憶される取扱説明書のデータファイルは、汎用のファイルフォーマット形式のデータファイルであることを特徴とする。
【００２５】
本発明は、記憶装置に記憶された取扱説明書のデータファイルを汎用パソコン等で取り扱うことができるようにしたものである。ファイルフォーマット形式としては、例えば、ＨＴＭＬ、ＰＤＦ、汎用のワープロソフトのファイル形式とする。
【００２６】
本発明によれば、他の汎用パソコン等で取り扱うことが可能なファイルフォーマット形式で作成するので、汎用パソコンでの参照や編集が可能である。
【００２７】
【発明の実施の形態】図１は本発明の実施の形態に係る調光操作装置の構成図である。調光操作装置の調光操作卓１１には操作部１２や表示装置１３が設けられている。操作部１２は調光操作卓１１の操作卓パネル１４上に設けられ、例えば、フェーダ、ウィール、各種スイッチ類であり、表示装置１３に調光制御の監視画面を表示しながら、照明負荷の明るさや色を調光制御したり、照明負荷の調光制御のための調光制御レベルを設定したシーンを作成したりする。これらの操作部１２には、図示は省略するが操作部１２の操作状態を表示するための表示器が設けられている。
【００２８】
また、操作卓パネル１４には切替釦１５が設けられており、この切替釦１５により、調光操作卓１１の調光制御のための通常操作と調光操作卓１１の操作方法を調べるための操作とが切り替えられる。
【００２９】
演算処理装置１６は記憶装置１７に記憶された図示省略のプログラムを演算処理するものであり、調光操作卓１１の操作部１２からの操作信号や入力装置１８からの指令に応答する。記憶装置１７には、調光操作卓１１で作成されたシーンのデータファイル１９や照明負荷の明るさを調光制御する調光操作卓１１の取扱説明書のデータファイル２０等が記憶されている。
【００３０】
演算処理装置１６は、操作卓パネル１４の切替釦１５が操作されたときは、表示装置１３に表示される画面を切り替える。すなわち、通常操作が選択されているときには、調光制御の監視画面を表示装置１３に表示し、調光操作卓１１の操作方法を調べるための操作が選択されているときには、取扱説明書画面を表示装置１３に表示する。
【００３１】
このように、記憶装置１７に取扱説明書のデータファイル１９を有し、演算処理装置１６はそのデータファイル１９を調光操作卓１１に備え付けの表示装置１３に表示する機能を有する。すなわち、調光操作卓１１の切替釦１５の操作により取扱説明書のデータファイル１９を取扱説明書画面として表示装置１３に表示する。
【００３２】
また、演算処理装置１６はそのデータファイル１９を表示する機能に加え、キーワード検索機能、操作部検索機能、操作部リンク機能を有する。キーワード検索機能は、入力装置１８から入力されたキーワードを取扱説明書のデータファイル１９から検索し、その検索結果を表示装置１３に表示する機能である。操作部検索機能は、操作卓パネル１４上の操作部１２が操作されたとき、その操作部１２に関する説明を取扱説明書のデータファイル１９から検索しその検索結果を表示装置１３に表示する機能である。また、操作部リンク機能は、表示装置１３に表示された取扱説明書画面中のキーワードを入力装置１８で指定したとき操作卓パネル１４上の操作部１２の表示器を点滅表示させる機能である。
【００３３】
図２は演算処理装置１６のキーワード検索機能の処理内容を示すフローチャートである。演算処理装置１６は、切替釦１５により調光操作卓１１の操作方法を調べるための操作が選択されたときは表示装置１３に取扱説明書画面を表示する（Ｓ１）。次に、入力装置１８からキーワードが入力されたか否かを判定し（Ｓ２）、キーワードが入力されたときは、入力されたキーワードを取扱説明書のデータファイル１９から検索する（Ｓ３）。そして、そのキーワードが記載されている取扱説明書中の項目の一覧を表示装置１３に表示する（Ｓ４）。表示装置１３に表示された項目が入力装置１８で選択選択されたか否かを判定し（Ｓ５）、入力装置１８により項目が選択されたときは、その選択された項目の該当ページの内容を表示装置１３に表示する（Ｓ６）。
【００３４】
このように、日本語入力が可能なキーボード等の入力装置１８からキーワードが入力されると、演算処理装置１６は取扱説明書のデータファイル１９を検索し、そのキーワードが記載されている項目の一覧を表示装置１３に表示する。項目の一覧は、そのキーワードの前後の文章と本文が記載されているページ番号等を付加した形で表示される。従って、その中で参照したい項目を選出し、キーボードやマウス等の入力装置１８のカーソルで項目を指定することで、その説明が記載されているページが表示され、目的のページをすぐに見つけ出すことが可能となる。
【００３５】
図３は演算処理装置１６の操作部検索機能の処理内容を示すフローチャートである。演算処理装置１６は、切替釦１５により調光操作卓１１の操作方法を調べるための操作が選択されたときは表示装置１３に取扱説明書画面を表示する（Ｓ１）。次に、操作卓パネル１４の操作部１２が操作されたか否かを判定し（Ｓ２）、操作部１２が操作されたと判定したときは取扱説明書のデータファイル１９からその操作部１２に関する説明箇所を検索する（Ｓ３）。そして、その操作部１２に関する説明が記載されている取扱説明書中の項目の一覧を表示装置１３に表示する（Ｓ４）。表示装置１３に表示された項目が入力装置１８で選択選択されたか否かを判定し（Ｓ５）、入力装置１８により項目が選択されたときは、その選択された項目の該当ページの内容を表示装置１３に表示する（Ｓ６）。
【００３６】
このように、取扱説明書画面が表示装置１３に表示されている状態で、調光卓パネル１４の操作部１２が操作されたときは、その操作された操作部１２の説明が記載されている項目を取扱説明書のデータファイル１９から検索し、その操作された操作部１２の説明が記載されている項目の一覧を表示装置１３に表示する。続いて、その一覧の中で参照したい項目を選出し、キーボードやマウス等の入力装置１８のカーソルで項目を指定することで、その説明が記載されているページが表示され、目的のページをすぐに見つけ出すことが可能となる。
【００３７】
これにより、調光卓パネル１４上の操作部（スイッチ、フェーダ、ウィール等）の名称を知らないような場合でも直接的に取扱説明書内の目的のページを参照することが可能となる。
【００３８】
図４は演算処理装置１６の操作部リンク機能の処理内容を示すフローチャートである。演算処理装置１６は、切替釦１５により調光操作卓１１の操作方法を調べるための操作が選択されたときは表示装置１３に取扱説明書画面を表示する（Ｓ１）。次に、表示装置１３に表示中の取扱説明書画面中のキーワードが入力装置１８で指定されたか否かを判定し（Ｓ２）、取扱説明書画面中のキーワードが指定されたと判定したときは、その指定されたキーワードに関連する前記操作卓パネル上の操作部の表示器を点滅表示する（Ｓ３）。
【００３９】
このように、キーボードやマウス等の入力装置１８にて、取扱説明画面中に表示されている調査対象となるキーワードを指定されたとき、演算処理装置１６は、指定されたキーワードに関連する調光卓パネル１４の操作部１２の表示器を点滅表示する。これにより、点滅表示した操作部１２が操作パネル上のどの部分に位置するかを操作員に通知する。この場合、演算処理装置１６は、取扱説明画面中において指定可能なキーワードを分かり易いように色付きで表示する。
【００４０】
ここで、記憶装置１７に記憶される取扱説明書のデータファイル１９は、汎用のファイルフォーマット形式のデータファイルとし、他の汎用パソコン等で取り扱うことを可能としている。ファイルフォーマット形式としては、ＨＴＭＬ、ＰＤＦ、汎用のワープロソフトのファイル形式を用いる。
【００４１】
また、印刷物としての取扱説明書のファイルも同一形式のものとすることで、取扱説明書を改版する場合にも安全で確実な同期が取れる。また同一のフォーマット形式で表現されるので、画面と印刷物、両方を参照した場合の混乱も回避することが可能となる。さらに、別の異なる調光操作装置に対しても、使用するデータファイル形式を統一しておくことで、演算処理装置１６のプログラムに大きな変更を施すことなく使用することが可能となり、一度プログラムを開発してしまえば、それ以降のシステムでは、調光卓パネル面とのリンク部分を考慮するだけでよく、コストをかけることなく対応することが可能となる。
【００４２】
【発明の効果】
以上述べたように、請求項１の発明によれば、調光操作卓の取扱説明書のデータファイルを記憶装置に記憶しておき、調光操作卓の表示装置にその取扱説明書画面を表示できるので、調光操作卓から離れることなく取扱説明書の内容を参照できる。請求項２の発明によれば、入力装置からキーワードを入力することで、そのキーワードに関する説明が記載されている取扱説明書の項目を表示できるので、目的のページをすぐに見つけ出すことが可能となる。請求項３の発明によれば、操作卓パネル上の操作部の名称を知らない場合であっても直接的に取扱説明書内の目的のページを参照することが可能となる。請求項４の発明によれば、取扱説明書画面のキーワードを指定すると、そのキーワードに関連する操作部の表示器が点滅表示されるので、操作卓パネル上のどの位置にその操作部があるかを容易に調べることが可能となる。請求項５の発明によれば、他の汎用パソコン等で取り扱うことが可能なファイルフォーマット形式で作成するので、汎用パソコンでの参照や編集が可能である。
【図面の簡単な説明】
【図１】本発明の実施の形態に係る調光操作装置の構成図。
【図２】本発明の実施の形態における演算処理装置のキーワード検索機能の処理内容を示すフローチャート。
【図３】本発明の実施の形態における演算処理装置の操作部検索機能の処理内容を示すフローチャート。
【図４】本発明の実施の形態における演算処理装置の操作部リンク機能の処理内容を示すフローチャート。
【符号の説明】
１１…調光操作卓、１２…操作部、１３…表示装置、１４…操作卓パネル、１５…切替釦、１６…演算処理装置、１７…記憶装置、１８…入力装置、１９…シーンデータファイル、２０…取扱説明書データファイル
【図１】
2004200124.tif 000003
【図２】
2004200124.tif 000004
【図３】
2004200124.tif 000005
【図４】
2004200124.tif 000006